(57)【要約】【課題】仕様変更によってもケーブル類の変更の必要のない食洗機を実現する。【解決手段】スイッチ操作部７へ入力情報を出力用ＬＥＤ９から制御ボックス１２に設置された赤外線受光部１０へ赤外線伝送を行い、信号ケーブルの廃止をし、省線化を図る。【選択図】図１
2010142319.tif 000002
【特許請求の範囲】
【請求項１】
機器全体を覆う筐体と、被洗浄物の洗浄ならびに乾燥を行う洗浄乾燥手段と、食器を載置する被洗浄物収納部と、前記洗浄乾燥手段の運転を指示するスイッチ操作部、前記洗浄乾燥手段の運転制御を行う機器制御部を有し、前記スイッチ操作部への入力情報を前記機器制御部へ伝達する赤外線伝送経路部を筐体内部に有する食器洗浄乾燥機。
【請求項２】
機器制御部は被洗浄物収納部の背面に設置した請求項１記載の食器洗浄乾燥機。
【請求項３】
機器全体を覆う筐体と、被洗浄物の洗浄ならびに乾燥を行う洗浄乾燥手段と、食器を載置する被洗浄物収納部と、食器載置時は筐体から引き出し洗浄時は筐体内部へ引き込む摺動手段と、前記洗浄乾燥手段の運転を指示するスイッチ操作部、前記洗浄乾燥手段の運転制御を行う機器制御部と、前記スイッチ操作部への入力情報を前記機器制御部へ伝達する前記摺動手段に設置した赤外線伝送経路部を有する食器洗浄乾燥機。
【請求項４】
赤外線伝送経路部は摺動手段に沿って設置した光ファイバーで行う請求項１から３いずれか１項記載の食器洗浄乾燥機。
【請求項５】
赤外線伝送経路部は被洗浄物収納部下部に沿って設置した光ファイバーで行う請求項１から３いずれか１項記載の食器洗浄乾燥機。
【請求項６】
赤外線送信部の赤外線発光手段は、左右の摺動手段に沿って伝送する赤外線情報を発生する複数個の発光ダイオードで構成した請求項３または４記載の食器洗浄乾燥機。
【請求項７】
機器制御部は赤外線受光用の窓を有する請求項１から６いずれか１項記載の食器洗浄乾燥機。
【請求項８】
機器制御部は赤外線受光用の窓を赤外線透過材で覆った請求項１から６いずれか１項記載の食器洗浄乾燥機。
【請求項９】
赤外線送信部は取り外し自在に構成した構成した請求項１から８いずれか１項記載の食器洗浄乾燥機。
【発明の詳細な説明】
【技術分野】
【０００１】
本発明は、キッチンユニットに組み込んで使用される食器洗浄乾燥機の運転制御に関するものである。
【背景技術】
【０００２】
図１０は現在市場にある食器洗浄乾燥機の構成であり、筐体１０１の中に食器や調理用容器などを収納する被洗浄物収納部１０２があり、ポンプ１０３で加圧された水がノズル１０４から噴き出し、被洗浄物収納部１０２内の食器を洗浄している。また被洗浄物収納部１０２内のヒータ（図示せず）によって、洗浄が終わった食器を乾燥する。洗浄と乾燥の指示は操作部１０５に設置されたボタン群１０６によって行われ、その信号はケーブル群１０７によって制御器１０８へ伝達され、制御器１０８はケーブル群１０９によってポンプ１０３に伝えられ、洗浄が開始され、またヒータに伝えられ乾燥が開始される。
【特許文献１】特開２００６−１０９８８０号公報
【発明の開示】
【発明が解決しようとする課題】
【０００３】
しかしながら前記従来の食器洗浄乾燥機の操作部から制御器への信号の伝達は、双方をコネクタで結合したケーブル群で行っていたため、操作ボタンの数が多くなるとケーブルが多くなったり引き回しの距離が長くなったりして機器の配線系統が複雑になるという難点があった。また信号を伝送する距離が長くなると、信号が減衰して伝わらなかったり、誤動作する可能性もあった。しかも操作部の仕様を変更すると、その都度操作部から制御器への信号伝達用のケーブルを作り直す必要があり、設計の負担が多く掛かるという難点もあった。
【０００４】
本考案は、洗浄乾燥手段の運転を指示するスイッチ操作部への入力情報を機器制御部への伝達を赤外線で行うことによって、ケーブル群の削減を図ることを目的とする。
【課題を解決するための手段】
【０００５】
前記従来の課題を解決するため、機器全体を覆う筐体と、被洗浄物の洗浄ならびに乾燥を行う洗浄乾燥手段と、食器を載置する被洗浄物収納部と、洗浄乾燥手段の運転を指示するスイッチ操作部、洗浄乾燥手段の運転制御を行う機器制御部を有し、スイッチ操作部への入力情報を機器制御部へ伝達する赤外線伝送経路部を有するものである。
【発明の効果】
【０００６】
このように洗浄乾燥手段の運転を指示するスイッチ操作部への入力情報を機器制御部へ伝達する赤外線伝送経路部を有することによって、従来設置されていた情報伝達用のケーブル群の削減を図ることができ、また仕様の変更に対してもその都度ケーブルを作成する必要がないなど構成の簡素化と信頼性の向上を図ることが可能となる。
【発明を実施するための最良の形態】
【０００７】
第１の発明は、機器全体を覆う筐体と、被洗浄物の洗浄ならびに乾燥を行う洗浄乾燥手段と、食器を載置する被洗浄物収納部と、洗浄乾燥手段の運転を指示するスイッチ操作部、洗浄乾燥手段の運転制御を行う機器制御部を有し、スイッチ操作部への入力情報を機器制御部へ伝達する赤外線伝送経路部を筐体内部に有するものであり、筐体内での情報の伝達を赤外線通信で行うことにより、伝送用のケーブル群を削減でき、構成の簡素化と、仕様の変更に対して対応が容易になる。
【０００８】
第２の発明は、特に第１の発明において、機器制御部は被洗浄物収納部の背面に設置したものであり、制御対象の機器に近い位置に機器制御部を位置させることによってケーブル群の長さの短縮を図るものである。
【０００９】
第３の発明は、機器全体を覆う筐体と、被洗浄物の洗浄ならびに乾燥を行う洗浄乾燥手段と、食器を載置する被洗浄物収納部と、食器載置時は筐体から引き出し洗浄時は筐体内部へ引き込む摺動手段と、洗浄乾燥手段の運転を指示するスイッチ操作部、洗浄乾燥手段の運転制御を行う機器制御部と、スイッチ操作部への入力情報を機器制御部へ伝達する前記摺動手段に設置した赤外線伝送経路部を有するものであり、直線的に設置された摺動手段に沿って赤外線伝送路を設置することによって、赤外線の伝送特性の安定化を図ることができる。
【００１０】
第４の発明は、特に第１から第３いずれかの発明において赤外線伝送経路部は摺動手段に沿って設置した光ファイバーで行うものであり、赤外線の伝送を確定することによってより一層の正確な情報の伝送が可能となる。
【００１１】
第５の発明は、特に第１から第３いずれかの発明において、赤外線伝送経路部は被洗浄物収納部下部に沿って設置した光ファイバーで行うものであり、赤外線の伝送を確定することによってより一層の正確な情報の伝送が可能となりとともに、伝送路の設置場所として、被洗浄物収納部下部を選定することによって、設置空間が確保でき、余裕のある伝送路設定を行うことができる。
【００１２】
第６の発明は、特に第３または第４の発明において、赤外線送信部の赤外線発光手段は、左右の摺動手段に沿って伝送する赤外線情報を発生する複数個の発光ダイオードで構成したものであり、複数の伝送路から情報を発信することによって情報伝送の信頼性を高めることが可能となる。
【００１３】
第７の発明は、特に第１から第６いずれかの発明において、機器制御部は赤外線受光用の窓を有するものであり、受光素子が確実に赤外線信号を受信することが可能となる。
【００１４】
第８の発明は、特に第１から第６の発明において、機器制御部は赤外線受光用の窓を赤外線透過材で覆ったものであり、受光素子の信頼性の向上に大いに貢献することが可能となる。
【００１５】
第９の発明は、特に第１から第８いずれかの発明において、赤外線送信部は取り外し自在に構成したものであり、食器洗浄乾燥機の仕様の変更に適宜対応することが可能となる。
【００１６】
以下、本発明の実施の形態について、図面を参照しながら説明する。なお、この実施の形態によって本発明が限定されるものではない。
【００１７】
（実施の形態１）
図１は本発明の第１の実施の形態における食器洗浄乾燥機１の部分切欠き斜視図である。
【００１８】
図１において、筐体３は食器等の被洗浄物を収納する被洗浄物収納部２を内部に設置し、レール４とローラ５からなる摺動手段６によって内部に収納する構成となっている。
【００１９】
また被洗浄物収納部２の内部には洗浄を行う温水の噴出させるノズル（図示せず）や乾燥を行うヒータ（図示せず）も設置されている。
【００２０】
被洗浄物収納部２の手前には被洗浄物の洗浄と乾燥の開始ならびに停止や時間、洗浄方法などを指示するスイッチ操作部７のスイッチ群８が設置されている。このスイッチ群８を指で押すことによって入力される入力情報はスイッチ操作部７内部のマイコン（図示せず）によって赤外線出力に変換され、出力用ＬＥＤ９から筐体３内を赤外線によって送信され、被洗浄物収納部２の側面に設置され、赤外線受信部１０を有する制御ボックス１２で受信される。制御ボックス１２からヒータ（図示せず）などを駆動する信号が出力される。
【００２１】
図２は本発明の第１の実施の形態における制御ボックス１２の構成図である。
【００２２】
スイッチ群８の乾燥ボタン１３が押されると赤外線で制御ボックス１２に情報が伝達され、赤外線受光部１０からの信号はマイコン４０の出力ポート１４を経てＮＰＮトランジスタ１５のベース１６に入り、ＮＰＮトランジスタ１５のコレクタエミッタ間を導通させる。するとヒータ（図示せず）を駆動するリレーのコイル１７に電流が流れ、接点１８が閉じる。
【００２３】
上記のように赤外線で入力情報を制御ボックス１２への無線通信を行うことによって、筐体３内部にケーブルの束を引き回すことなく信号を伝達することが可能となる。またスイッチ操作部７の電源を電池から供給することとすれば、スイッチ操作部７に外部からつながる電線は皆無となり、設置場所を電気配線を考慮せずに決めることが可能となる。
【００２４】
図３は本発明の第１の実施の形態における食器洗浄乾燥機１の部分切欠き斜視図である。
【００２５】
図３と図１の差異は、赤外線受光部１０を有する制御ボックス１２が被洗浄物収納部２の背面に位置し、摺動手段６のレール４に赤外線を赤外線受光部１０へと導くための反射板２０が設置されているところにある。
【００２６】
制御ボックス１２はポンプやヒータのオンオフを制御したり、注水や排水用の弁を制御する信号を出力する手段であり、できれば制御対象の近くに設置するのが望ましかった。被洗浄物収納部２の背面は、制御対象の近くに設置するという条件に適う場所であり、配線も短くすることが可能となる。また、摺動手段６のレール４は被洗浄物収納部２の側面を直線状に形成されているため、被洗浄物収納部２の前面に位置するスイッチ操作部７からの入力信号を背面に位置する制御ボックス１２に赤外線の伝送経路として用いるのに最適な形状をしており、出力用ＬＥＤ９からの赤外線は反射板２０で反射し、レール４に沿って進み赤外線受光部１０で受信される。
【００２７】
このように、赤外線で入力信号を伝達する構成にすることで、離れた位置に設置された受光部へも信号伝達ができ、情報伝達用の電線群をなくすることができる。
【００２８】
図４は本発明の第１の実施の形態における食器洗浄乾燥機１の部分切欠き斜視図である。
【００２９】
レール４に沿って赤外線伝道経路となる光ファイバー２１が設置されており、出力用ＬＥＤ９から赤外線受光部１０への伝送経路を形成している。光ファイバー２１を用いることによって直線状だけでなく、曲線や入り組んだ場所への赤外線通信の導入が可能となる。
【００３０】
図５は本発明の第１の実施の形態における食器洗浄乾燥機１の断面図である。
【００３１】
被洗浄物収納部２の下部に赤外線伝道経路となる光ファイバー２１が設置されており、出力用ＬＥＤ９から赤外線受光部１０への伝送経路を形成している。光ファイバー２１は被洗浄物収納部２の下部の引き回しのための空間が確保される領域を通って被洗浄物収納部２の背面に設置された制御ボックス１２へ情報を伝達している。その際、光ファイバー２１の端面から光が拡散するため、光ファイバー２１と受光用ＬＥＤ１０の光軸がぴったり合っていなくても情報伝達には何ら支障はない。
【００３２】
図６は本発明の第１の実施の形態における食器洗浄乾燥機１の部分切欠き斜視図である。
【００３３】
被洗浄物収納部２の右側面部だけでなく、左側面部にも赤外線の伝送経路が作成されており（図示せず）、左側面の伝送経路を伝わる赤外線を出力する出力用ＬＥＤ２３が設置されている。赤外線の伝送経路が左右２系統になることによって、１系統しかない時よりも情報伝達の信頼度は格段に向上する。
【００３４】
図７は本発明の第１の実施の形態における制御ボックス１２の斜視図である。制御ボックス１２は金属ケース２４に穿たれた穴２５から入射した赤外線を赤外線受光部１０で受信するように構成されている。金属ケース２４は制御ボックス１２をノイズから守るため、また不燃性を確保するために設置されている。穴２５は赤外線伝道経路（たとえば光ファイバー２１）に見合った大きさに穿たれる。このように制御ボックス１２を金属ケース２４で囲うことによって、情報伝送の信頼性は飛躍的に高まる。
【００３５】
図８は本発明の第１の実施の形態における制御ボックス１２の断面図である。
【００３６】
穴の開口部を赤外線透過窓２６で覆うことによって制御ボックス１２内部へのほこりや小さな虫の侵入を防止し、信頼性の向上に寄与する。
【００３７】
図９は本発明の第１の実施の形態における食器洗浄乾燥機１の部分切欠き斜視図である。
【００３８】
図９においてスイッチ操作部７は食器洗い乾燥機１の前面部３０に設置されたコンセント２７とコンセントプラグ２８とで電気的に接続され、赤外線発信を行う電力を供給される。また磁石２９によって、スイッチ操作部７は前面部３０に保持される。赤外線信号は出力用ＬＥＤ９から出力され、制御ボックス１２の赤外線受光部１０と情報伝送を行う。この構成によると、スイッチ操作部７の仕様を変更しても、伝送系は何ら変更することなく仕様の変更に対応することができる。また、図ではコンセント２７とコンセントプラグ２８の接続によって電力を供給する構成を説明したが、電池を電力源（電池駆動）とすることで電源のコンタクト部を廃止することも可能となる。また電池駆動にすると電力系に水が浸入する懸念もなくなり、安全性の向上にもつながる。
【００３９】
このように本実施の形態の食器洗浄乾燥機では、前面パネル部に設置したスイッチ操作部の信号を赤外線で伝送する構成とすることによって従来設置されていた情報伝達用のケーブル群の削減を図ることができ、また仕様の変更に対してもその都度ケーブルを作成する必要がないなど構成の簡素化と信頼性の向上を図ることが可能となる。
【産業上の利用可能性】
【００４０】
以上のように、本発明にかかる赤外線による省線化遠隔制御手段は食器洗浄乾燥機だけでなく、電化製品一般にも安全装置として利用できる。
【図面の簡単な説明】
【００４１】
【図１】本発明の第１の実施の形態における食器洗浄乾燥機の部分切欠き斜視図
【図２】本発明の第１の実施の形態における制御ボックスの構成図
【図３】本発明の第１の実施の形態における食器洗浄乾燥機の部分切欠き斜視図
【図４】本発明の第１の実施の形態における食器洗浄乾燥機の部分切欠き斜視図
【図５】本発明の第１の実施の形態における食器洗浄乾燥機の断面図
【図６】本発明の第１の実施の形態における食器洗浄乾燥機の部分切欠き斜視図
【図７】本発明の第１の実施の形態における制御ボックスの斜視図
【図８】本発明の第１の実施の形態における制御ボックスの断面図
【図９】本発明の第１の実施の形態における食器洗浄乾燥機の部分切欠き斜視図
【図１０】従来の食器洗浄乾燥機の断面図
【符号の説明】
【００４２】
１  食器洗浄乾燥機
２  被洗浄物収納部
３  筐体
４  レール
６  摺動手段
７  スイッチ操作部
８  スイッチ群
９  出力用ＬＥＤ
１０  赤外線受光部
１２  制御ボックス
１３  乾燥ボタン
１７  コイル
１８  接点
２０  反射板
２１  光ファイバー
２４  金属ケース
２５  穴
２６  赤外線透過窓
２７  コンセント
２８  コンセントプラグ
２９  磁石
４０  マイコン
【図１】
2010142319.tif 000003
【図２】
2010142319.tif 000004
【図３】
2010142319.tif 000005
【図４】
2010142319.tif 000006
【図５】
2010142319.tif 000007
【図６】
2010142319.tif 000008
【図７】
2010142319.tif 000009
【図８】
2010142319.tif 000010
【図９】
2010142319.tif 000011
【図１０】
2010142319.tif 000012